(57)【特許請求の範囲】
【請求項１】
口頸筒２の下端部外面から口頸筒下半部を囲成させて下方小径のテーパ筒３を起立し、該テーパ筒上部の左右両部から弾性片４を介して下向き半割筒５を左右方向へ突設し、かつこれら左右両半割筒の前後両側から挟持板６ａ、６ｂを前後方向へ突設して、左右一方の側の両挟持板に透孔７を穿設すると共に、他方の側の両挟持板下面に突起８を形成した口頸部部材１を有し、
袋１１の上縁と側縁との角部に形成した開口部１２へ上記テーパ筒３を挿通させ、かつ上記左右の弾性片４を下方へ屈曲させて上記両半割筒５を、袋１１の角部部分を介してテーパ筒３外面へ嵌合させると共に、上記左右の挟持板で開口部両側に連続する袋縁部分を挟持させて、上記突起８を透孔７へ袋縁部分を介して挿通させた、
ことを特徴とする袋用注出栓。
【請求項２】
口頸筒２の上下方向中間部の左右両部から弾性片４を介して下向き半割筒５を左右方向へ突設して、該半割筒の前後両側から挟持板６ａ、６ｂを前後方向へ突設し、かつ左右一方の側の両挟持板の右半部に透孔７を、他方の側の両挟持板の左半部下面に突起８を、それぞれ形成して、該突起下部を大外径部に形成した口頸部部材１を有し、
袋１１の上縁と側縁との角部に形成した開口部１２へ上記口頸筒２下部を挿通させ、かつ上記両弾性片４を下方へ屈曲して上記両半割筒を、口頸筒外面へ袋の角部部分を介して嵌合させると共に、上記透孔と突起とを袋の外方へ位置させて上記左右の挟持板で開口部両側の袋縁部分を挟持させることにより突起８を透孔７へ挿通させて、その突起の大外径部端面を透孔外縁へ係合させることにより左右の挟持板６ａ、６ｂを互いに圧接させた、
ことを特徴とする袋用注出栓。
【請求項３】
口頸筒２下部を下方小外径のテーパ筒部に形成し、かつ口頸部の上下方向中間部の左右両部から弾性片４を介して下向きの半割筒５を突設して、該半割筒の前後両側から挟持板６ａ、６ｂを前後方向へ突設し、かつ左右一方の側の挟持板に透孔７を、他方の側の挟持板に突起８を、それぞれ形成した口頸部部材１を有し、
袋１１の上縁と側縁との角部に開口部１２を形成すると共に、該開口部両側の袋縁部分に挿通孔１３を穿設しておき、開口部へ上記口頸筒の下部を挿通させ、かつ上記両弾性片４を下方へ屈曲して上記両半割筒５を、口頸筒外面へ袋の角部部分を介して嵌合させると共に、上記左右の挟持板で開口部両側の袋縁部分を挟持させることにより挿通孔１３を介して突起８を透孔７へ挿通させた、
ことを特徴とする袋用注出栓。
【請求項４】
上記口頸筒２上面をキャップ９で閉塞させた、
ことを特徴とする請求項１、２又は３記載の袋用注出栓。
【請求項５】
上記左右の挟持板６ａ、６ｂ下面を互いに噛合い可能な凹凸面に形成した、
ことを特徴とする請求項１、２、３又は４記載の袋用注出栓。
【発明の詳細な説明】
【０００１】
【発明の属する技術分野】
本発明は洗剤等が入った袋に取り付ける袋用注出栓に関する。
【０００２】
【従来の技術】
洗剤等を入れる容器として、近年、材料費削減や嵩を考慮した輸送効率等の観点から合成樹脂材製容器の代わりに袋が使用されるようになってきている。
【０００３】
【発明が解決しようとする課題】
袋から内容物を注出する場合、袋の角部等を切除により開口して注出口に形成するが、単に切除しただけの注出口では、特に少量注出の場合、注出口から袋外面沿いに液垂れが生ずることがある。
そこで、これに対処すべく筒からなる口頸部を当初から袋の注出口へ離脱不能に装着した注出栓付き袋が市場に出回っている。
しかし、このような注出栓付き袋では、注出栓が袋から離脱不能であるため、注出栓を再利用することができず、結局、袋と共に廃棄するほかなく、ゴミの廃棄量削減の観点から望ましいものではなかった。
【０００４】
請求項１、２及び３記載の発明に係る袋用注出栓は、口頸部部材を袋へ着脱自在に取り付けて、注出時における液垂れの防止を図ると共に、口頸部部材の再利用を可能にしようとするものである。
【０００５】
請求項１記載の発明に係る袋用注出栓は、袋縁部を介して突起を透孔へ挿通させることにより、袋への穿孔を不要にしようとするものである。
【０００６】
請求項２記載の発明に係る袋用注出栓は、袋への穿孔を不要にすると共に、突起と透孔とを袋の外方へ位置させることにより、これらと袋縁との位置合わせを不要にしようとするものである。
【０００７】
請求項３記載の発明に係る袋用注出栓は、袋に突起挿通用の孔を形成することにより、挟持板の袋に対する装着をより強固にしようとするものである。
【０００８】
請求項４記載の発明に係る袋用注出栓は、上記請求項１、２又は３記載の発明に係る袋用注出栓が有する解決課題を有するほか、キャップを設けることにより、口頸筒の閉塞を容易にしようとするものである。
【０００９】
請求項５記載の発明に係る袋用注出栓は、上記請求項１、２、３又は４記載の発明に係る袋用注出栓が有する解決課題を有するほか、挟持板下面を凹凸面に形成することにより、挟持板の袋への装着をさらに強固にしようとするものである。
【００１０】
【課題を解決するための手段】
第１の手段として、口頸筒２の下端部外面から口頸筒下半部を囲成させて下方小径のテーパ筒３を起立し、該テーパ筒上部の左右両部から弾性片４を介して下向き半割筒５を左右方向へ突設し、かつこれら左右両半割筒の前後両側から挟持板６ａ、６ｂを前後方向へ突設して、左右一方の側の両挟持板に透孔７を穿設すると共に、他方の側の両挟持板下面に突起８を形成した口頸部部材１を有し、
袋１１の上縁と側縁との角部に形成した開口部１２へ上記テーパ筒３を挿通させ、かつ上記左右の弾性片４を下方へ屈曲させて上記両半割筒５を、袋１１の角部部分を介してテーパ筒３外面へ嵌合させると共に、上記左右の挟持板で開口部両側に連続する袋縁部分を挟持させて、上記突起８を透孔７へ袋縁部分を介して挿通させた。
【００１１】
第２の手段として、口頸筒２の上下方向中間部の左右両部から弾性片４を介して下向き半割筒５を左右方向へ突設して、該半割筒の前後両側から挟持板６ａ、６ｂを前後方向へ突設し、かつ左右一方の側の両挟持板の右半部に透孔７を、他方の側の両挟持板の左半部下面に突起８を、それぞれ形成して、該突起下部を大外径部に形成した口頸部部材１を有し、
袋１１の上縁と側縁との角部に形成した開口部１２へ上記口頸筒２下部を挿通させ、かつ上記両弾性片４を下方へ屈曲して上記両半割筒を、口頸筒外面へ袋の角部部分を介して嵌合させると共に、上記透孔と突起とを袋の外方へ位置させて上記左右の挟持板で開口部両側の袋縁部分を挟持させることにより突起８を透孔７へ挿通させて、その突起の大外径部端面を透孔外縁へ係合させることにより左右の挟持板６ａ、６ｂを互いに圧接させた。
【００１２】
第３の手段として、口頸筒２下部を下方小外径のテーパ筒部に形成し、かつ口頸部の上下方向中間部の左右両部から弾性片４を介して下向きの半割筒５を突設して、該半割筒の前後両側から挟持板６ａ、６ｂを前後方向へ突設し、かつ左右一方の側の挟持板に透孔７を、他方の側の挟持板に突起８を、それぞれ形成した口頸部部材１を有し、
袋１１の上縁と側縁との角部に開口部１２を形成すると共に、該開口部両側の袋縁部分に挿通孔１３を穿設しておき、開口部へ上記口頸筒の下部を挿通させ、かつ上記両弾性片４を下方へ屈曲して上記両半割筒５を、口頸筒外面へ袋の角部部分を介して嵌合させると共に、上記左右の挟持板で開口部両側の袋縁部分を挟持させることにより挿通孔１３を介して突起８を透孔７へ挿通させた。
【００１３】
第４の手段として、上記第１、第２又は第３の手段を有すると共に、上記口頸筒２上面をキャップ９で閉塞させた。
【００１４】
第５の手段として、上記第１、第２第３又は第４の手段を有すると共に、上記左右の挟持板６ａ、６ｂ下面を互いに噛合い可能な凹凸面に形成した。
【００１５】
【発明の実施の形態】
以下、本発明に係る袋用注出栓の実施形態を図面を参照しながら説明する。
図１乃至図４は請求項１、４及び５記載の袋用注出栓を示す。
１は口頸部部材で、口頸筒２の下端部外面から口頸筒２下半部を囲成させて下方小径のテーパ筒３を起立し、該テーパ筒上端部の左右両部から弾性片４を介して下向き半割筒５を左右方向へ突設し、かつこれら左右両半割筒５の前後両側から挟持板６ａ、６ｂを前後方向へ突設する。
なお、半割筒５として、テーパ筒３のテーパとほぼ等しいテーパを有する半割テーパ筒を使用する。
【００１６】
そして、図示例のように、左側に位置する挟持板６ａの中央部に透孔７を穿設すると共に、右側に位置する挟持板６ｂの中央部下面に突起８を形成する。しかし、これに限らず、透孔７を右側に位置する挟持板６ｂに、また突起８を左側に位置する挟持板６ａに、それぞれ形成してもよい。突起８は図示するように、その下部を半球面形状に形成する。
なお、請求項４に記載し、かつ図３に示すように、口頸筒２上面をキャップ９で閉塞させることも可能である。
さらに、請求項５に記載し、かつ図１に示すように、左右の挟持板６ａ、６ｂ下面を互いに噛合い可能な波形の凹凸面１０に形成することもできる。
【００１７】
上記構成に係る口頸部部材１を袋１１に装着するには、図２に示すように、袋１１の上縁と側縁との角部を切除して開口部１２を形成した後、該開口部へテーパ筒３を挿通させる。次いで左右の弾性片４を下方へ屈曲して左右両半割筒５を、袋角部を介してテーパ筒３外面へ嵌合させると共に、左右両挟持板６ａ、６ｂで開口部１２に連続する袋の上縁部分１１ａと側縁部分１１ｂとを挟持させることにより、前後両突起８を袋の上縁部分１１ａと側縁部分１１ｂとを介して透孔７へ挿通させて、半球形状部の端面を透孔７の外縁へ係合させる。
【００１８】
図５乃至図１１は請求項２、４及び５記載の袋用注出栓を示す。
口頸筒２から半割筒５を突設し、さらに該半割筒から挟持板６ａ、６ｂを突設して、該挟持板に透孔７と突起８とを形成する点は図１乃至図４に記載の実施形態と同様であるから、この点についての説明は省略する。
本実施形態では、透孔７を左側の挟持板６ａの右端部に穿設すると共に、突起８を右側の挟持板６ｂの左端部下面から突設し、突起８下部を下方小径のテーパ部に形成する。
【００１９】
上記構成に係る口頸部部材１１を袋１１に装着するには、図９に点線で示すように袋１１の角部に形成した破断線に沿って角部を除去して開口部１２を形成し、上記同様に該開口部に口頸筒２を挿通させ、かつ半割筒５を口頸筒２へ嵌合させると共に、左右の挟持板６ａ、６ｂで開口部１２両側の袋縁部分を挟持させるが、この際、図１１に明示するように透孔７と突起８とを袋１１の外方へ位置させた状態で突起８を透孔７へ挿通させて、突起８のテーパ部端面を透孔７の外縁へ係合させる。
【００２０】
したがって、突起８上部の長さを適当に設定することにより左右の挟持板６ａ、６ｂの挟持力を大にして、挟持板を互いに圧接させることにより挟持板６ａ、６ｂから袋１１が容易に離脱しないようにすることができる。また、請求項５記載のように挟持板下面を互いに噛合い可能な波形状の凹凸面に形成すると、袋１１の離脱防止効果はさらに増大する。
【００２１】
図１２乃至図１８は請求項３、４及び５記載の袋用注出栓を示す。
ここでは説明の重複を避けるため、図５乃至図１１に示す実施形態と異なる点について説明する。
本実施形態では、口頸筒２下部を下方小外径のテーパ筒部に形成する。
また、図１６に示すように、開口部１２両側の袋縁部分に挿通孔１３を穿設しておく。
口頸部部材１を袋１１に装着させるに際しては、左右の挟持板６ａ、６ｂで開口部１２両側の袋縁部分を挟持させることにより、挿通孔１３を介して突起８を透孔７へ挿通させる。
【００２２】
【発明の効果】
請求項１、２及び３記載の発明に係る袋用注出栓は、口頸部部材を袋へ取り付けたので、注出時の液垂れが防止される。
また、口頸部部材は、挟持板を左右に開くだけで袋から取外し可能であり、従って、口頸部部材の再利用が可能になる。
【００２３】
請求項１記載の発明に係る袋用注出栓は、袋縁部を介して突起を透孔へ挿通させるため、袋に孔を設ける必要がなく、このため穿孔工程の省略化が可能になる。
また、袋開口部へテーパ筒を挿通させるので、開口部の口径に製造上の誤差が生じても、テーパ筒と開口部との間に隙間が生ずることがなく、従って、開口部口径の寸法精度を低くすることができる。
【００２４】
請求項２記載の発明に係る袋用注出栓は、突起と透孔とを袋の外方へ位置させた状態で突起を透孔へ挿通させるため、袋に穿孔を施す必要がなく、また突起及び透孔と袋縁又は袋の挿通孔との位置合わせを不要にすることができる。
【００２５】
請求項３記載の発明に係る袋用注出栓は、袋に突起挿通用の孔を形成したので、挟持板から袋が離脱することがない。
また、口頸筒下部をテーパ筒部に形成したため、口頸筒の開口部への挿通が容易になる。
【００２６】
請求項４記載の発明に係る袋用注出栓は、キャップを設けたので、口頸筒の閉塞が容易に行える。
請求項５記載の発明に係る袋用注出栓は、挟持板下面を凹凸面に形成したため、挟持板の袋への装着がさらに強固になる。
【図面の簡単な説明】
【図１】請求項１、４及び５記載の発明に係る袋用注出栓の口頸部部材を示すもので、口頸筒を断面にして、右側挟持板を左方から見た一部断面左側面図。
【図２】同じく、口頸部部材と袋とのそれぞれを示す斜視図。
【図３】同じく、口頸部部材を袋に取り付けた状態を示す斜視図。
【図４】同じく、図３のＸ−Ｘ線に沿う断面図。
【図５】請求項２、４及び５記載の発明に係る袋用注出栓の斜視図。
【図６】同じく、図５の右側面図。
【図７】同じく、図５の左半部を断面にした前面図。
【図８】同じく、図５の下面図。
【図９】同じく、袋の角部を示す平面図。
【図１０】同じく、口頸部部材を袋に取り付けた状態を示す斜視図。
【図１１】同じく、口頸部部材を袋に取り付けた状態を示す平面図。
【図１２】請求項３、４及び５記載の発明に係る袋用注出栓の斜視図。
【図１３】同じく、図１２の右側面図。
【図１４】同じく、図１２の左半部を断面にした前面図。
【図１５】同じく、図１２の下面図。
【図１６】同じく、袋の角部を示す平面図。
【図１７】同じく、口頸部部材を袋に取り付けた状態を示す斜視図。
【図１８】同じく、口頸部部材を袋に取り付けた状態を示す平面図。
【符号の説明】
１  口頸部部材
２  口頸筒
３  テーパ筒
４  弾性片
５  半割筒
６ａ、６ｂ  挟持板
７  透孔
８  突起
９  キャップ
１０  凹凸面
１１  袋
１２  開口部
１３  挿通孔
【図１】
0003808216.tif 000002
【図２】
0003808216.tif 000003
【図３】
0003808216.tif 000004
【図４】
0003808216.tif 000005
【図５】
0003808216.tif 000006
【図６】
0003808216.tif 000007
【図７】
0003808216.tif 000008
【図８】
0003808216.tif 000009
【図９】
0003808216.tif 000010
【図１０】
0003808216.tif 000011
【図１１】
0003808216.tif 000012
【図１２】
0003808216.tif 000013
【図１３】
0003808216.tif 000014
【図１４】
0003808216.tif 000015
【図１５】
0003808216.tif 000016
【図１６】
0003808216.tif 000017
【図１７】
0003808216.tif 000018
【図１８】
0003808216.tif 000019